(57)【要約】【課題】一人暮らしであっても、不審者に同居人の存在を予想させることにより、強盗などの危険から身を守ることができる入室管理装置及び入室管理方法を得る。【解決手段】住人及び他人の情報を検出する検出手段１２と、屋内から屋外に向けて音声を発生する音声発生手段１６と、検出手段１２の検出結果に基づいて住人であるか他人であるかが判断され住人と判断された場合に音声発生手段１６から音声を発生させる制御手段１４と、を有する構成とした。【選択図】      図１
2005182411.tif 000002
【特許請求の範囲】
【請求項１】
住人及び他人の情報を検出する検出手段と、屋内から屋外に向けて音声を発生する音声発生手段と、前記検出手段の検出結果に基づいて住人であるか他人であるかが判断され住人と判断された場合に前記音声発生手段から音声を発生させる制御手段と、を有することを特徴とする入室管理装置。
【請求項２】
玄関に設けられた玄関戸と、
前記玄関戸の鍵を開錠する開錠手段と、をさらに備え、
前記制御手段は、前記音声発生手段から音声が発生された後に、前記玄関戸の鍵が開錠するように前記開錠手段を制御することを特徴とする請求項１に記載の入室管理装置。
【請求項３】
前記玄関戸を開ける開放手段をさらに備え、
前記制御手段は、前記開錠手段により前記玄関戸の鍵を開錠させた後に、前記玄関戸が開くように前記開放手段を制御することを特徴とする請求項２に記載の入室管理装置。
【請求項４】
玄関の近傍に点灯可能な照明手段をさらに備え、
前記制御手段は、住人と判断された場合に、点灯するように前記照明手段を制御することを特徴とする請求項１乃至３のいずれか１項に記載の入室管理装置。
【請求項５】
前記検出手段は、指紋センサであることを特徴とする請求項１乃至４のいずれか１項に記載の入室管理装置。
【請求項６】
住人及び他人の情報を検出する検出工程と、
前記検出工程の検出結果に基づいて住人であるか他人であるかを判断する判断工程と、
前記判断工程により住人と判断された場合に屋内から屋外に向けて音声が発生される音声発生工程と、
を有することを特徴とする入室管理方法。
【請求項７】
前記音声発生工程により屋内から屋外に向けて音声が発生された後に、玄関に設けられた玄関戸の鍵が開錠する開錠工程を備えたことを特徴とする請求項６に記載の入室管理方法。
【請求項８】
前記開錠工程により前記玄関戸の鍵を開錠させた後に、前記玄関戸を開ける開放工程を備えたことを特徴とする請求項７に記載の入室管理方法。
【請求項９】
前記判断工程により住人と判断された場合に、玄関の近傍に設けられた照明手段が点灯する点灯工程を備えたことを特徴とする請求項６乃至８のいずれか１項に記載の入室管理方法。
【発明の詳細な説明】
【技術分野】
【０００１】
本発明は、強盗などの危険から身を守ることができる入室管理装置及び入室管理方法に関する。
【背景技術】
【０００２】
従来から玄関において来訪者を識別する機能を備えた装置として、エレベータの呼び登録装置、集合住宅監視システム、指紋応答インターフォン装置、ホームセキュリティシステム、留守時応答装置、来訪者管理システム、複合錠前装置など様々な装置が知られている（下記各特許文献参照）。これらの装置は、住人に対して誰が来たのか（家族か知人か他人か）を識別することができ、また住人の留守中に来訪した特定の人に対しては遠隔で応答することができるものである。
【０００３】
【特許文献１】特開２００２−３２６７７０号公報
【特許文献２】特開２００２−０１３３２７号公報
【特許文献３】特開２００１−０３６６４８号公報
【特許文献４】特開２０００−３３６９９４号公報
【特許文献５】特開２０００−２５３１５９号公報
【特許文献６】特開平０９−２４５１７６号公報
【特許文献７】特開平０９−２３１３６７号公報
【特許文献８】特開平０８−０６０９１４号公報
【発明の開示】
【発明が解決しようとする課題】
【０００４】
しかしながら、上記した各装置は、いずれも女性やお年寄りのなどの弱者が一人暮らしであることを不審者やストーカに見抜かれた場合に、不審者やストーカに強盗されたり、襲われたりすることを解決できるものではなかった。
【０００５】
そこで、本発明は、上記事情を考慮し、一人暮らしであっても、不審者に同居人の存在を予想させることにより、強盗などの危険から身を守ることができる入室管理装置及び入室管理方法を提供することを目的とする。
【課題を解決するための手段】
【０００６】
請求項１に記載の発明は、住人及び他人の情報を検出する検出手段と、屋内から屋外に向けて音声を発生する音声発生手段と、前記検出手段の検出結果に基づいて住人であるか他人であるかが判断され住人と判断された場合に前記音声発生手段から音声を発生させる制御手段と、を有することを特徴とする。
【０００７】
請求項１に記載の発明によれば、検出手段により住人及び他人の情報が検出される。制御手段により検出手段の検出結果に基づいて住人であるか他人であるかが判断される。この結果、制御手段により住人と判断されると、制御手段により音声発生手段が制御され、屋内から屋外に向けて音声が発生される。不審者がこの音声を聞くと、不審者は屋内にあたかも同居人がいて同居人が返答しているかのように受け取り、不審者に強盗などの犯罪行為を諦めさせることができる。これにより、一人暮らしの人間を、一人暮らしという弱みにつけこんだ犯罪行為から守ることができる。
【０００８】
請求項２に記載の発明は、請求項１に記載の入室管理装置において、玄関に設けられた玄関戸と、前記玄関戸の鍵を開錠する開錠手段と、をさらに備え、前記制御手段は、前記音声発生手段から音声が発生された後に、前記玄関戸の鍵が開錠するように前記開錠手段を制御することを特徴とする。
【０００９】
請求項２に記載の発明によれば、音声発生手段から音声が発生された後に、開錠手段が制御手段により制御され、玄関戸の鍵が開錠する。玄関戸が開錠すると、住人が玄関戸を開け、屋内に入る。この光景を不審者が見ることにより、不審者は屋内にあたかも同居人がいて同居人が開錠しているかのように受け取り、不審者に強盗などの犯罪行為を諦めさせることができる。
【００１０】
請求項３に記載の発明は、請求項２に記載の入室管理装置において、前記玄関戸を開ける開放手段をさらに備え、前記制御手段は、前記開錠手段により前記玄関戸の鍵を開錠させた後に、前記玄関戸が開くように前記開放手段を制御することを特徴とする。
【００１１】
請求項３に記載の発明によれば、開錠手段により玄関戸の鍵を開錠させた後に、開放手段が制御手段により制御され、玄関戸が開く。玄関戸が開けられると、住人が屋内に入る。この光景を不審者が見ることにより、不審者は屋内にあたかも同居人がいて同居人が玄関戸を開けているかのように受け取り、不審者に強盗などの犯罪行為を諦めさせることができる。
【００１２】
請求項４に記載の発明は、請求項１乃至３のいずれか１項に記載の入室管理装置において、玄関の近傍に点灯可能な照明手段をさらに備え、前記制御手段は、住人と判断された場合に、点灯するように前記照明手段を制御することを特徴とする。
【００１３】
請求項４に記載の発明によれば、住人と判断された場合に、照明手段が制御手段により制御され、照明手段が点灯する。この光景を不審者が見ることにより、不審者は屋内にあたかも同居人がいてその同居人が照明手段を点灯させているかのように受け取り、不審者に強盗などの犯罪行為を諦めさせることができる。
【００１４】
請求項５に記載の発明は、請求項１乃至４のいずれか１項に記載の入室管理装置において、前記検出手段は、指紋センサであることを特徴とする。
【００１５】
請求項５に記載の発明によれば、検出手段として指紋センサを用いることにより、誤作動なく住人を確実に判断することができる。また、指紋センサは比較的小型であるため、狭く限られたスペースに配置することができる。
【００１６】
請求項６に記載の発明は、住人及び他人の情報を検出する検出工程と、前記検出工程の検出結果に基づいて住人であるか他人であるかを判断する判断工程と、前記判断工程により住人と判断された場合に屋内から屋外に向けて音声が発生される音声発生工程と、を有することを特徴とする。
【００１７】
請求項６に記載の発明によれば、検出工程において住人及び他人の情報が検出される。判断工程において検出工程の検出結果に基づいて住人であるか他人であるかが判断される。判断工程において住人と判断されると、音声発生工程において屋内から屋外に向けて音声が発生される。不審者がこの音声を聞くと、不審者は屋内にあたかも同居人がいて同居人が返答しているかのように受け取り、不審者に強盗などの犯罪行為を諦めさせることができる。これにより、一人暮らしの人間を、一人暮らしという弱みに付け込んだ犯罪行為から守ることができる。
【００１８】
請求項７に記載の発明は、請求項６に記載の入室管理方法において、前記音声発生工程により屋内から屋外に向けて音声が発生された後に、玄関に設けられた玄関戸の鍵が開錠する開錠工程を備えたことを特徴とする。
【００１９】
請求項７に記載の発明によれば、開錠工程において、音声発生工程により屋内から屋外に向けて音声が発生された後に、玄関に設けられた玄関戸の鍵が開錠される。玄関戸が開錠すると、住人が玄関戸を開け、屋内に入る。この光景を不審者が見ることにより、不審者は屋内にあたかも同居人がいて同居人が開錠しているかのように受け取り、不審者に強盗などの犯罪行為を諦めさせることができる。
【００２０】
請求項８に記載の発明は、請求項７に記載の入室管理方法において、前記開錠工程により前記玄関戸の鍵を開錠させた後に、前記玄関戸を開ける開放工程を備えたことを特徴とする。
【００２１】
請求項８に記載の発明によれば、開放工程において、開錠工程により玄関戸の鍵を開錠させた後に、玄関戸が開けられる。玄関戸が開けられると、住人が屋内に入る。この光景を不審者が見ることにより、不審者は屋内にあたかも同居人がいて同居人が玄関戸を開けているかのように受け取り、不審者に強盗などの犯罪行為を諦めさせることができる。
【００２２】
請求項９に記載の発明は、請求項６乃至８のいずれか１項に記載の入室管理方法において、前記判断工程により住人と判断された場合に、玄関の近傍に設けられた照明手段が点灯する点灯工程を備えたことを特徴とする。
【００２３】
請求項９に記載の発明によれば、点灯工程において、判断工程により住人と判断された場合に、玄関の近傍に設けられた照明手段が点灯する。この光景を不審者が見ることにより、不審者は屋内にあたかも同居人がいてその同居人が照明手段を点灯させているかのように受け取り、不審者に強盗などの犯罪行為を諦めさせることができる。
【発明の効果】
【００２４】
請求項１に記載の発明は、検出手段により住人及び他人の情報が検出され、制御手段により検出手段の検出結果に基づいて住人であるか他人であるかが判断される。この結果、制御手段により住人と判断されると、制御手段により音声発生手段が制御され、屋内から屋外に向けて音声が発生される。不審者がこの音声を聞くと、不審者は屋内にあたかも同居人がいて同居人が返答しているかのように受け取り、不審者に強盗などの犯罪行為を諦めさせることができる。これにより、一人暮らしの人間を、一人暮らしという弱みにつけこんだ犯罪行為から守ることができる。
【００２５】
請求項２に記載の発明は、音声発生手段から音声が発生された後に、開錠手段が制御手段により制御され、玄関戸の鍵が開錠する。この光景を不審者が見ることにより、不審者は屋内にあたかも同居人がいて同居人が開錠しているかのように受け取り、不審者に強盗などの犯罪行為を諦めさせることができる。
【００２６】
請求項３に記載の発明は、開錠手段により玄関戸の鍵を開錠させた後に、開放手段が制御手段により制御され、玄関戸が開く。この光景を不審者が見ることにより、不審者は屋内にあたかも同居人がいて同居人が玄関戸を開けているかのように受け取り、不審者に強盗などの犯罪行為を諦めさせることができる。
【００２７】
請求項４に記載の発明は、住人と判断された場合に、照明手段が制御手段により制御され、照明手段が点灯する。この光景を不審者が見ることにより、不審者は屋内にあたかも同居人がいてその同居人が照明手段を点灯させているかのように受け取り、不審者に強盗などの犯罪行為を諦めさせることができる。
【００２８】
請求項５に記載の発明は、検出手段として指紋センサを用いることにより、誤作動なく住人を確実に判断することができる。また、指紋センサは比較的小型であるため、狭く限られたスペースに配置することができる。
【００２９】
請求項６に記載の発明は、検出工程において住人及び他人の情報が検出され、判断工程において検出工程の検出結果に基づいて住人であるか他人であるかが判断される。判断工程において住人と判断されると、音声発生工程において屋内から屋外に向けて音声が発生される。不審者がこの音声を聞くと、不審者は屋内にあたかも同居人がいて同居人が返答しているかのように受け取り、不審者に強盗などの犯罪行為を諦めさせることができる。これにより、一人暮らしの人間を、一人暮らしという弱みに付け込んだ犯罪行為から守ることができる。
【００３０】
請求項７に記載の発明は、開錠工程において、音声発生工程により屋内から屋外に向けて音声が発生された後に、玄関に設けられた玄関戸の鍵が開錠される。この光景を不審者が見ることにより、不審者は屋内にあたかも同居人がいて同居人が開錠しているかのように受け取り、不審者に強盗などの犯罪行為を諦めさせることができる。
【００３１】
請求項８に記載の発明は、開放工程において、開錠工程により玄関戸の鍵を開錠させた後に、玄関戸が開けられる。この光景を不審者が見ることにより、不審者は屋内にあたかも同居人がいて同居人が玄関戸を開けているかのように受け取り、不審者に強盗などの犯罪行為を諦めさせることができる。
【００３２】
請求項９に記載の発明は、点灯工程において、判断工程により住人と判断された場合に、玄関の近傍に設けられた照明手段が点灯する。この光景を不審者が見ることにより、不審者は屋内にあたかも同居人がいてその同居人が照明手段を点灯させているかのように受け取り、不審者に強盗などの犯罪行為を諦めさせることができる。
【発明を実施するための最良の形態】
【００３３】
次に、本発明の一実施形態に係る入室管理装置について、図面を参照して説明する。
【００３４】
図１に示すように、入室管理装置１０は、住人を識別する指紋センサ（検出手段）１２を備えている。この指紋センサ１２には、光学型、感熱型及び静電容量型の様々な種類のものが用いられる。ここで、静電容量型の指紋センサ１２による指紋探知の原理として、多数のコンデンサを半導体チップの上層部に並べて配置させた状態で、半導体チップ表面に指を置くと、静電容量効果により指紋の凹凸に応じて該当するコンデンサの容量値が変化する。指紋センサ１２は、各コンデンサの容量値のセンスと８ビットのＡＤ変換とを行うことにより、指紋イメージ像を出力する。
【００３５】
この指紋センサ１２は、玄関の近傍に設けられた呼び鈴（図示省略）のボタンやインターフォン（図示省略）のボタンに組み込まれ、ボタンが押されたときにボタンを押した人の指紋が検出できるようにして用いられる。このように、ボタンに組み込むことにより、不審者に気づかれず、住人の指紋を検出させることができる。また、指紋センサ１２とすることにより、比較的小型化にすることができ、ボタンに容易に組み込むことができる。また、指紋センサ１２を用いることにより、認証精度を格段に向上させることができ、住人であるか他人であるかをより確実に判断することができる。
【００３６】
また、図１に示すように、指紋センサ１２には、バス１５を介して制御部（制御手段）１４が接続されている。この制御部１４は、バス１５を介してＲＯＭ２４及びＲＡＭ２６と接続されており、ＲＡＭ２６には指紋認証プログラム（指紋認証ソフトウエア）が記憶されている。制御部１４では、指紋イメージ像をチップから読み込み、指紋認証ソフトウエアを用いて指紋の照合及び認証が行われる。このとき、ＲＯＭ２４には予め住人の指紋イメージがデータとして記憶されており、制御部１４において、出力された指紋イメージ像と住人の指紋イメージとを照合して住人か否かが判断され、出力された指紋イメージ像と住人の指紋イメージとが一致すれば、住人であると認証し、一致しなければ住人と認証されない。このようにして、制御部１４において住人であるか他人であるかが判断される。
なお、上述した指紋センサ１２の指紋探知原理は、一例を示したものであり、これに限定されるものではなく、他の型の指紋センサを用いて指紋を照合してもよい。
【００３７】
また、本実施形態の入室管理装置１０では、検出手段として指紋センサ１２を一例に挙げて説明したが、勿論指紋センサ１２に限られるものではなく、住人であると認証できる手段、例えば、予めＲＯＭ２４にＩＤ番号をデータとして記憶させておき、住人が帰宅したときにＩＤ番号を入力部に入力して（あるいはＩＤカードを挿入して）、両者が一致すれば、住人であると判断できるようなものでもよい。
また、玄関の近傍に設けられた呼び鈴やインターフォンの内部に読取機（リーダー）を内蔵しておき、住人がＩＣチップとアンテナとを備えた無線タグ（図示省略）を携帯するようにしてもよい。これによれば、無線タグを読取機(リーダー)に近づけると、リーダーからの電波によって無線タグ側に起電力が発生(電磁誘導の原理)し、この電力によって回路が働き、リーダー側と制御データを交換し、その後であらかじめ記憶してあるデータ（ＩＤ）がリーダーに送信される。このデータ（ＩＤ）により住人であるか否かが判断される。
【００３８】
また、ＲＡＭ２６には、後述するスピーカ１６から発生される音声がデータとして記憶されている。例えば、「お帰りなさい」という内容の音声データが記憶されており、制御部１４において住人であると判断されたときにこの音声が再生出力させるようにしてもよい。また、「お帰りなさい」という音声に限られるものではなく、同居人がいることを予想できる音声であれば、何でもよい。
特に、複数の音声データを予めＲＡＭ２６に記憶させておき、ランダムにいずれかの音声を再生させることにより、不審者に機械的動作であることを見抜かれてしまうことを防止することができる。
【００３９】
また、図１に示すように、制御部１４には、バス１５を介してスピーカ（音声発生手段）が接続されている。このスピーカ１６は、屋内で玄関の近傍に配置されており、制御部１４からの出力信号に基づいて屋内から屋外に向けて所定の音声が再生される。特に、スピーカ１６をインターフォン（図示省略）の内部に組み込むことにより、不審者はあたかも同居人がインターフォンで返答しているかのように受けとるため、不審者に同居人の存在を予想させる上で効果的である。
【００４０】
また、図１に示すように、制御部１４には、バス１５を介して、玄関に設けられた玄関戸の鍵を開錠する開錠装置（開錠手段）１８が接続されている。この開錠装置１８は、屋内で玄関戸の近傍に配置されており、制御部１４からの出力信号に基づいて玄関戸の鍵を開錠する。これを見た不審者はあたかも同居人が玄関戸の鍵を開錠しているかのように受けとるため、不審者に同居人の存在を予想させる上で効果的である。
さらに、開錠装置１８により玄関戸の鍵を開錠させることにより、住人が開錠する手間が省け、特に両手が荷物でふさがっている場合に便利である。
【００４１】
また、図１に示すように、制御部１４には、バス１５を介して、玄関戸を開放するための開放装置（開放手段）２０が接続されている。この開放装置２０は、屋内であって玄関戸の近傍に配置されており、制御部１４からの出力信号に基づいて玄関戸を開放する。これを見た不審者はあたかも同居人が玄関戸を開放しているかのように受けとるため、不審者に同居人の存在を予想させる上で効果的である。
さらに、開放装置２０により玄関戸を開放させることにより、住人が玄関戸を開放する手間が省け、特に両手が荷物でふさがっている場合に便利である。
【００４２】
さらに、図１に示すように、制御部１４には、バス１５を介して、点灯する照明装置（照明手段）が接続されている。この照明装置２２は、屋内又は屋外であって玄関戸の近傍に配置されており、制御部１４からの出力信号に基づいて点灯する。これを見た不審者はあたかも同居人が照明装置２２を点灯させているかのように受けとるため、不審者に同居人の存在を予想させる上で効果的である。
【００４３】
次に、本実施形態の入室管理装置１０を用いた入室管理方法について説明する。
【００４４】
図１及び図２に示すように、住人が帰宅すると、インターフォンのボタンを押す（ステップ１００）。住人によりインターフォンのボタンが押されると、インターフォンのボタンに組み込まれた指紋センサ１２により住人の指紋が検出される（検出工程、ステップ１１０）。なお、このときインターフォンは通常通り鳴る。
【００４５】
次に、検出工程において指紋センサ１２により住人の指紋が検出されると、この検出情報（指紋イメージ）が制御部１４に入力される。制御部１４では、上述したように、検出された指紋イメージと予めＲＯＭ２４に記憶された住人の指紋イメージとを照合し、検出された指紋イメージが住人のものであるか否かが判断される。この結果、出された指紋イメージと予めＲＯＭ２４に記憶された住人の指紋イメージとが一致すれば住人であると判断され、両者が一致しなければ他人であると判断される（判断工程、ステップ１２０）。
【００４６】
次に、判断工程において住人である判断された場合には、音声発生工程において、スピーカ１６が制御部１４により制御され、スピーカ１６から予めＲＡＭ２６に記憶された音声（例えば、「お帰りなさい」）が屋内から屋外に向けて再生される（ステップ１３０）。この音声を聞いた不審者はあたかも同居人が屋内で返答しているかのように受けとるため、不審者に同居人の存在を予想させることができ、不審者に一人暮らしという弱みにつけこんだ強盗などの犯罪行為を躊躇させ、諦めさせることができる。これにより、住人を犯罪行為から守ることができる。
なお、判断工程において住人ではなく他人である判断された場合には、スピーカ１６から音声（例えば、「お帰りなさい」）が再生しないため、不審者に機械的動作だと悟られ一人暮らしであることを見抜かれてしまうことを防止することができる。
また、スピーカ１６から発生される音声として、毎回内容が異なる音声にすることにより、不審者に単なる機械的動作であると見抜かれてしまうことをさらに効果的に防止できる。
【００４７】
次に、音声発生工程においてスピーカ１６から音声が発生された後に、開錠工程において、開錠装置１８が制御部１４により制御され、開錠装置１８により玄関戸の鍵が開錠される（ステップ１４０）。この光景を見た不審者はあたかも同居人が屋内から玄関戸の鍵を開錠しているかのように受けとるため、不審者に同居人の存在を予想させることができ、一人暮らしという弱みにつけこんだ犯罪行為を諦めさせることができる。
【００４８】
次に、開錠工程において玄関戸の鍵が開錠された後に、開放工程において、開放装置２０が制御部１４により制御され、開放装置２０により玄関戸が少しだけ開けられる（ステップ１５０）。この光景を見た不審者はあたかも同居人が屋内から玄関戸を開放しているかのように受けとるため、不審者に同居人の存在を確信させることができ、一人暮らしという弱みにつけこんだ犯罪行為を諦めさせることができる。
特に、開放工程において、玄関戸を少しだけ開けることにより、屋内に同居人がいないことを不審者に見抜かれてしまうことを防止できる。
【００４９】
次に、照明工程において、照明装置２２が制御部１４により制御され、玄関の近傍に配置された照明装置２２が点灯される（ステップ１６０）。この光景を見た不審者はあたかも同居人が屋内から照明装置２２を点灯させているかのように受けとるため、不審者に同居人の存在を確信させることができ、一人暮らしという弱みにつけこんだ犯罪行為を諦めさせることができる。
【００５０】
なお、照明工程は、音声発生工程の後であればよく、開錠工程、開放工程との間で順序を適宜変えることができる。例えば、照明工程は、開錠工程の前でもよく、また、開放工程の前でもよく、開放工程の後でもよい。このように、各工程の順序に複数のパターンをもたせることにより、不審者に機械的動作であることを見抜かれてしまうことを極力防止できる。
【図面の簡単な説明】
【００５１】
【図１】本発明の一実施形態に係る入室管理装置のブロック図である。
【図２】本発明の一実施形態に係る入室管理方法のフローチャートである。
【符号の説明】
【００５２】
１０    入室管理装置
１２    指紋センサ（検出手段）
１４    制御部（制御手段）
１６    スピーカ（音声発生手段）
１８    開錠装置（開錠手段）
２０    開放装置（開放手段）
２２    照明装置（照明手段）
【図１】
2005182411.tif 000003
【図２】
2005182411.tif 000004